(57)【要約】【課題】レンズ装置と指令装置の位置関係に拘らず、運用性の向上を可能とする。【解決手段】レンズ本体２０からの位置信号とズームデマンド４０からの指令信号を無線で受信する無線通信手段３５、５２と、信号が有線できたのか、無線通信手段３５、５２を介してきたのかを認識する接続識別手段３６、５３と、接続識別手段３６、５３からの識別結果より、ズームレンズ２１を駆動制御する指令信号として有線接続による指令か無線接続による指令かを選択する接続選択手段３４、５１とを、レンズ本体２０とデマンド４０に設けている。これにより、レンズ本体２０とズームデマンド４０間の接続は有線接続でも無線接続でも可能となり、様々な形態に対応した運用ができる。【選択図】図１
2008310094.tif 000002
【特許請求の範囲】
【請求項１】
指令装置からの指示により可動光学部材を駆動制御すると共に前記指令装置と有線接続するレンズ装置において、前記指令装置からの指令信号を無線で受信する無線通信手段と、前記指令装置からの指令が有線接続であるか無線通信手段であるかを認識する接続識別手段と、該接続識別手段からの識別結果により前記可動光学部材を駆動制御する指令信号として有線接続による指令か無線接続による指令かを選択する接続選択手段とを設けたことを特徴とするレンズ装置。
【請求項２】
前記接続識別手段の識別結果又は前記接続選択手段の選択結果により、前記指令装置の制御に使用する電源を選択する電源選択手段を設けたことを特徴とする請求項１に記載のレンズ装置。
【請求項３】
前記接続選択手段の識別結果又は前記接続選択手段の選択結果により、前記指令装置に内蔵された二次電池に対して充電を行う充電制御手段を設けたことを特徴とする請求項１に記載のレンズ装置。
【請求項４】
前記指令装置に内蔵された電池が充電可能であるか否かを表す表示手段を設けたことを特徴とする請求項３に記載のレンズ装置。
【発明の詳細な説明】
【技術分野】
【０００１】
本発明は、複数の指令装置によりズームレンズ、フォーカスレンズ、絞り等の可動光学部材を駆動、制御する例えば放送用テレビレンズに使用するレンズ装置に関するものである。
【背景技術】
【０００２】
テレビカメラにおけるズームレンズ、フォーカスレンズ等の可動光学部材の制御システムは、例えば特許文献１、２に示されている。これらのシステム構成では、レンズ本体に対して、ズーム駆動に対する指令信号を出力する指令装置であるズームデマンドと、フォーカス駆動に対する指令信号を出力するフォーカスデマンドとが接続されている。
【０００３】
この他に、レンズ本体に接続される指令装置としては、絞り指令出力を行うもの、防振光学系の制御を行うもの等の複数の指令装置が接続可能となっている。また、レンズ本体と指令装置との接続は、特許文献１で示す多ピンのコネクタを使用したケーブル接続で行われている。
【０００４】
また、スタジオ撮影などの場合は、テレビカメラ、テレビレンズ、ズームデマンド、フォーカスデマンドを三脚に取り付けて運用する三脚運用がある。この他に、ズームデマンド、フォーカスデマンドを使用せずに、テレビカメラとテレビレンズとを組合わせて、カメラマンが肩に担いで運用する肩担ぎ運用がある。
【０００５】
図８は上述した従来例のテレビ撮影システムのブロック図を示している。レンズ本体１のズームレンズを操作するズームデマンド２には、ズームの駆動制御を行うズーム指令の他に、リターンスイッチ指令、ＶＴＲスイッチ指令、ショット指令、ショット記憶指令が可能となっている。また、レンズ本体１のフォーカスレンズを操作するフォーカスデマンド３には、フォーカスの駆動制御を行うフォーカス指令の他に、ズームデマンド２と同等のスイッチ指令が可能となっている。レンズ本体１と、ズームデマンド２及びフォーカスデマンド３との接続は、標準的に用意されている２０芯前後で長さ１ｍ程度のケーブル４、５が使用されている。
【０００６】
【特許文献１】特開２００５−３２８４９６号公報
【特許文献２】特開平９−６８６４０号公報
【発明の開示】
【発明が解決しようとする課題】
【０００７】
このように従来技術では、レンズ本体１とデマンド２、３とは多芯のケーブル４、５で接続されており、更に複数の指令装置を接続する際はその指令装置分のケーブル本数を必要とする。このため、放送局での撮影現場では次のような問題がある。
【０００８】
例えば、３〜５ｍ程度のクレーンの先端にカメラとレンズを設置し、クレーン元でカメラマンが指令装置を操作して撮影を行うクレーン撮影や、自然の中で設置したカメラとレンズから離れて猛獣等の撮影を行うことがある。このような場合に、レンズ本体と指令装置間の標準的なケーブルでは長さが足りず、専用の延長ケーブルの製作と設置が必要になる。このための製作と設置に際し、費用と時間がかかることになる。また、ケーブル１本当たり２０芯前後で芯数が多く長いケーブルを指令装置の台数分設置するため、設置作業における芯線やケーブル破損の危険性があり、信頼性が低下する問題がある。
【０００９】
また、三脚運用から肩担ぎ運用とを即座に切換えて運用することで、撮影状況に応じた運用形態の変更が、１台のテレビカメラとテレビレンズで可能となることが要望されている。しかし三脚運用の際には、テレビカメラとテレビレンズは一体で即座に外すことができるが、ズームデマンド、フォーカスデマンドを使用している場合には接続ケーブルをテレビレンズから外さないと、肩担ぎ運用ができず即座に切換えることはできない。
【００１０】
本発明の目的は、レンズ本体と指令装置とが離れた撮影においても、設置作業が容易で、信頼性を低下することがないレンズ装置を提供することにある。
【００１１】
特に、ドラマ、音楽、ニュース、スポーツ、スタジオ、屋外等の撮影状況によって変化・要求されるレンズ本体と指令装置との運用形態の切換えを容易に可能とすると共に、運用性の向上を可能とする。
【課題を解決するための手段】
【００１２】
上記目的を達成するための本発明に係るレンズ装置の技術的特徴は、指令装置からの指示により可動光学部材を駆動制御すると共に前記指令装置と有線接続するレンズ装置において、前記指令装置からの指令信号を無線で受信する無線通信手段と、前記指令装置からの指令が有線接続であるか無線通信手段であるかを認識する接続識別手段と、該接続識別手段からの識別結果により前記可動光学部材を駆動制御する指令信号として有線接続による指令か無線接続による指令かを選択する接続選択手段とを設けたことにある。
【発明の効果】
【００１３】
本発明に係るレンズ装置によれば、指令装置との接続を有線接続と無線接続との何れも使用できるようになり、撮影状況に応じた接続形態の切換えが容易に、かつ信頼性を落とすことなく可能となる。
【００１４】
有線での接続時は指令装置の電源はレンズ装置から供給され、無線での接続時は指令装置内のバッテリを使用すると、接続方式が変わっても中断することなく運用が可能となると共に、指令装置のバッテリが長寿命化する。
【００１５】
指令装置の電源として外部電源を使用した際に、有線接続か無線接続かを任意に選択可能とすると、運用形態に合わせた設定ができる。
【発明を実施するための最良の形態】
【００１６】
本発明を図１〜図７に図示の実施例に基づいて詳細に説明する。
【実施例１】
【００１７】
図１は実施例１のブロック回路構成図を示す。カメラ本体１０にレンズ本体２０が装着されており、レンズ本体２０に対してズームレンズを駆動する指令装置であるズームデマンド４０がレンズ側コネクタ６１、デマンド側コネクタ６２を介して接続ケーブル７０により接続されている。
【００１８】
カメラ本体１０にはＣＣＤから成る撮像素子１１が設けられ、レンズ本体２０においては、撮像素子１１と同一光軸上に可動光学部材としてズームレンズ２１が配置されている。なお、図示は省略しているが、光軸上にはフォーカスレンズ、絞りも配列されており、本実施例においては主としてズームレンズ２１の動作について説明しているが、フォーカスレンズ、絞りについてもデマンドを用いることができる。
【００１９】
ズームレンズ２１にはズームポテンショメータ２２、ズームモータ２３が取り付けられている。ズームポテンショメータ２２の出力は、増幅器２４、Ａ／Ｄ変換器２５を介してズーム位置信号としてレンズＣＰＵ２６に接続され、レンズＣＰＵ２６の出力は、Ｄ／Ａ変換器２７、増幅器２８を介してズーム指令信号としてズームモータ２３に接続されている。
【００２０】
また、レンズＣＰＵ２６からのＤ／Ａ変換器２９、増幅器３０を介したズームアナログ位置信号ｂは、レンズ側コネクタ６１に接続されている。また、コネクタ６１からのズームアナログ指令信号ａは、増幅器３１、Ａ／Ｄ変換器３２を介してレンズＣＰＵ２６に接続されている。また、レンズ電源３３からの電源線はコネクタ６１に接続されている。
【００２１】
レンズＣＰＵ２６にはレンズ側接続選択手段３４が内蔵され、レンズＣＰＵ２６にはレンズ側無線通信手段３５を接続されており、レンズ側無線通信手段３５の出力は、レンズ側接続識別手段３６を経てレンズＣＰＵ２６に接続されている。
【００２２】
更に、レンズＣＰＵ２６からの各スイッチアンサ信号ｃ、デジタル通信アンサ信号ｄはコネクタ６１に接続され、コネクタ６１からの各スイッチ指令信号ｅ、デジタル通信指令信号ｆはレンズＣＰＵ２６に接続されている。これらの信号はレンズ本体２０とズームデマンド４０との接続をコネクタ６１、６２経由で行う場合に必要となる各種の信号線である。
【００２３】
このレンズ本体２０において、Ｄ／Ａ変換器２７はレンズＣＰＵ２６からのデジタル値であるズーム指令信号をアナログ値に変換し、増幅器２８はＤ／Ａ変換器２７からのアナログ駆動信号を電力増幅しモータ２３を駆動し、ズームレンズ２１を作動する。増幅器２４はポテンショメータ２２からの信号を増幅し、Ａ／Ｄ変換器２５はポテンショメータ２２のアナログ電圧をデジタル値に変換し、レンズＣＰＵ２６はズーム位置信号として読み込む。なお、ズームレンズ２１の位置検出手段として、ズームポテンショメータ２２の代りにエンコーダが使用されることもある。
【００２４】
増幅器３１、Ａ／Ｄ変換器３２は、ズームデマンド４０からコネクタ６１、６２、接続ケーブル７０を経由して入力されるズームアナログ指令信号ａをレンズＣＰＵ２６に取り込む。レンズＣＰＵ２６からのＤ／Ａ変換器２９、増幅器３０を経た出力は、コネクタ６１、６２、ケーブル７０を介してデマンド４０にズームアナログ位置信号ｂとして送出する。
【００２５】
レンズ電源３３はコネクタ６１、６２、ケーブル７０経由でデマンド４０に電力を給電し、レンズ側無線通信手段３５はズームデマンド４０との接続を無線接続で行う場合に機能する。
【００２６】
レンズ側接続識別手段３６はズームデマンド４０との接続がコネクタ６１、６２経由の有線接続か、レンズ側無線通信手段３５による無線接続かを識別する。レンズ側接続選択手段３４はレンズ側接続識別手段３６の識別結果に基づいて、デマンド４０との接続を有線で行うか、無線で行うかを選択する。
【００２７】
ズームデマンド４０において、ズーム操作部に連動するポテンショメータ４１によるズーム指令信号は、増幅器４２、Ａ／Ｄ変換器４３を経てデマンドＣＰＵ４４に接続されている。デマンドＣＰＵ４４からのＤ／Ａ変換器４５、増幅器４６を経たズームアナログ指令信号ａは、デマンド側コネクタ６２に接続されている。コネクタ６２からのズームアナログ位置信号ｂは、増幅器４７、Ａ／Ｄ変換器４８を経てデマンドＣＰＵ４４に接続されている。また、各種スイッチ４９の出力がデマンドＣＰＵ４４に接続され、デマンドＣＰＵ４４の出力により各表示灯５０を点灯するようにされている。
【００２８】
コネクタ６２からの各スイッチアンサ信号ｃ、デジタル通信アンサ信号ｄはデマンドＣＰＵ４４に接続され、デマンドＣＰＵ４４からの各スイッチ指令信号ｅ、デジタル通信指令信号ｆはコネクタ６２に接続されている。
【００２９】
デマンドＣＰＵ４４にはデマンド側接続選択手段５１が内蔵され、デマンドＣＰＵ４４はデマンド側無線通信手段５２と接続され、デマンド側無線通信手段５２の出力はデマンド側接続識別手段５３を経てデマンドＣＰＵ４４に接続されている。更に、デマンドＣＰＵ４４の出力は充電制御手段５４と電源選択手段５５に接続され、充電制御手段５４の出力はバッテリ５６を介して電源選択手段５５に接続されている。
【００３０】
コネクタ６２からの電源線はレンズ供給電源５７に接続され、レンズ供給電源５７の出力は電源選択手段５５、デマンド側接続識別手段５３に接続され、電源選択手段５５の出力はデマンド内電源５８に接続されている。
【００３１】
ズーム指示手段はポテンショメータ４１により構成され、ポテンショメータ４１からの信号を増幅器４２、Ａ／Ｄ変換器４３を経てデマンドＣＰＵ４４にズーム指令信号として取り込まれる。
【００３２】
各種スイッチ４９はズームデマンド４０上にあるリターンスイッチ指令、ＶＴＲスイッチ指令、ショット記憶指令、ショット指令などのスイッチ指令であり、デマンドＣＰＵ４４に各スイッチ情報として読み込まれる。また、各表示灯５０はズームデマンド４０の各種指示に基づいたレンズ本体２０側の処理結果を表示する。
【００３３】
Ｄ／Ａ変換器４５、増幅器４６は、デマンドＣＰＵ４４に入力されたズーム指令信号をズームアナログ指令信号ａとして、コネクタ６１、６２、接続ケーブル７０経由でレンズ本体２０に送信する。レンズ本体２０からコネクタ６２経由で入力されるズームアナログ位置信号ｂは増幅器４７、Ａ／Ｄ変換器４８を経てデマンドＣＰＵ４４に取り込まれる。
【００３４】
レンズ供給電源５７はレンズ本体２０からコネクタ６１、６２、接続ケーブル７０経由で給電され、デマンド側無線通信手段５２はレンズ本体２０との無線接続をする場合に機能する。デマンド側接続識別手段５３はレンズ本体２０との接続がコネクタ６１、６２経由の有線接続か、デマンド側無線通信手段５２による無線接続かを識別する。デマンド側接続選択手段５１はデマンド側接続識別手段５３の識別結果に基づいて、レンズ本体２０との接続を有線で行うか、無線で行うかを選択する。
【００３５】
また、バッテリ５６は一次電池又は二次電池であり、電源選択手段５５はレンズ供給電源５７かバッテリ５６かの何れかを選択し、デマンド内電源５８として用いる。充電制御手段５４はバッテリ５６の充電を行うか否かの制御を行う。
【００３６】
複数の入出力信号は、例えばアナログ信号／デジタル信号／パラレル信号／シリアル信号などの複数の信号形式で存在する。無線通信手段３５、５２はこれら複数の信号を一連の時系列信号に変換し、この時系列信号を使用して無線により送受信する。無線通信手段３５、５２は無線化の方式として、無線ＬＡＮ、Bluetooth、Zigbee等の規格化された通信方式を利用することもできる。
【００３７】
図２はレンズ側接続選択手段３４、レンズ側接続識別手段３６における処理フローチャート図である。ステップＳ１００は処理のスタートであり、ステップＳ１０１では無線通信手段３５から受信の有無を確認、判断し、受信がある場合にはステップＳ１０２に、ない場合にはステップＳ１０３に移行する。ステップＳ１０２ではズームデマンド４０からの無線受信により、以降のデマンド４０との接続は無線通信手段により行う。ステップＳ１０３では、デマンド４０からの無線受信がないので、以降のデマンド４０との接続はコネクタ６１、６２、接続ケーブル７０経由の有線接続で行う。ステップＳ１０２、ステップＳ１０３の処理後にステップＳ１０１に戻る。
【００３８】
また、図３はデマンド側接続選択手段５１、デマンド側接続識別手段５３での処理フローチャート図である。ステップＳ２００は処理のスタートであり、ステップＳ２０１に移行する。ステップＳ２０１ではレンズ供給電源５７への給電の有無を確認・判断し、ない場合にはステップＳ２０２に、ある場合にはステップＳ２０３に移行する。ステップＳ２０２では、レンズ本体２０との接続が有線接続されていないと判断し、レンズ本体２０との接続は無線接続で行い、ステップＳ２０３ではレンズ本体２０と有線接続されていると判断し、レンズ本体２０との接続は有線接続で行う。ステップＳ２０２、ステップＳ２０３の処理後にステップＳ２０１に戻る。
【００３９】
上記の構成と処理により、レンズ本体２０とズームデマンド４０の間の接続が、接続ケーブル７０の有無に拘らず可能となり、レンズ本体２０、デマンド４０間の接続を有線接続と無線接続との何れも使用できる。レンズ本体２０とズームデマンド４０とを近い位置で固定して撮影する際には通常の有線接続で運用し、距離を離れて撮影する場合には無線接続で運用することで、運用の切換時の設置作業が容易にできると共に、信頼性を低下することはなくなる。
【００４０】
従って、三脚運用と肩担ぎ運用との切換えがワンタッチで可能となる。また、従来の接続ケーブルを延長敷設する際の作業の手間と、ケーブル破損のリスクが解消される。更に、ドラマ、音楽、ニュース、スポーツ、スタジオ、屋外等の撮影状況によって変化、要求されるレンズ本体２０とズームデマンド４０との運用形態の切換えを、容易に可能とすると共に、運用性が向上する。
【００４１】
図４はズームデマンド４０の電源選択手段５５における処理フローチャート図である。ステップＳ３００は処理の開始であり、ステップＳ３０１ではデマンド側接続選択手段５１の選択結果が無線接続の場合にはステップＳ３０２に、有線接続の場合にはステップＳ３０３に移行する。ステップＳ３０２では、無線接続時のズームデマンド４０に供給する電源としてバッテリ５６を選択し、ステップＳ３０３では有線接続時のデマンド４０に供給する電源として、レンズ本体２０から供給されるレンズ供給電源５７を選択する。ステップＳ３０２、ステップＳ３０３の処理後にステップＳ３０１に戻る。
【００４２】
これにより、ズームデマンド４０で使用する電源は、有線接続時はレンズ本体２０から供給される電源を使用し、無線接続時はデマンド４０内のバッテリ５６を用いる切換えを行う。この処理により、レンズ本体２０とデマンド４０間の接続が、有線接続でも無線接続でも可能となる。更に、有線接続時にバッテリ５６を使用しないことで、バッテリ５６の長寿命化が可能となる。
【００４３】
図５はズームデマンド４０での充電制御手段５４における処理フローチャート図である。ステップＳ４００は処理の開始であり、ステップＳ４０１ではバッテリ５６が充電可能な二次電池かどうかを判断し、充電可能な二次電池の場合にはステップＳ４０２に移行して、その旨を図示しない表示手段に表示する。充電不可能な一次電池の場合にはステップＳ４０１に戻る。
【００４４】
ステップＳ４０１の判断は設定スイッチのオン／オフ状態によって判断してもよい。ステップＳ４０２でデマンド側接続選択手段５１の選択結果が有線接続かどうかを判断し、有線接続の場合にはステップＳ４０３に移行し、バッテリ５６の充電を始め、無線接続の場合にはステップＳ４０１に戻る。
【００４５】
この処理により、ズームデマンド４０に充電可能な二次電池が搭載されていた場合で、レンズ本体２０とデマンド４０とが接続ケーブル７０による有線接続された場合に、充電制御手段５４はバッテリ５６を充電する。これにより、有線接続から無線接続に切換えて運用する際でも、電池切れによる不具合が発生することはなくなる。
【００４６】
このように、ズームデマンド４０側の電源選択手段５５により、有線での接続時はデマンド４０の電源はレンズ本体２０から供給され、無線での接続時はデマンド４０内のバッテリ５６を使用することで、接続方式が変わっても中断することなく運用が可能となる。更に、有線接続時にはデマンド４０内のバッテリ５６を充電することができ、更なるバッテリ５６の長寿命化が可能となる。
【実施例２】
【００４７】
図６は実施例２のズームデマンドの構成図を示し、実施例１と同じ部材については同じ符号を付している。実施例１とはズームデマンド４０内に外部電源８１、接続設定手段８２とが設けられていることの違いがある。
【００４８】
外部電源８１は外部からデマンド４０に直接入力される電源であり、電源選択手段５５、デマンド側接続識別手段５３に接続されている。外部電源８１の外部電源供給があるかないかの電源供給状態は、電源選択手段５５、デマンド側接続識別手段５３により認識される。
【００４９】
接続設定手段８２は図７に示す処理フローチャート図において、カメラマンが有線接続か、無線接続かを選択、設定するものであり、接続設定手段８２のスイッチオン／オフなどで実現する。
【００５０】
図７におけるステップＳ５００は処理の開始であり、ステップＳ５０１に移行し、外部電源８１が供給されているか、供給されていないかを確認、判断し、供給されている場合はステップＳ５０２に、ない場合はステップＳ５０６に移行する。ステップＳ５０２で接続設定手段８２の内容が無線接続であるか否かを確認、判断し、無線接続の設定であればステップＳ５０３に移行し、有線接続の設定であればステップＳ５０４に移行する。
【００５１】
ステップＳ５０３及びＳ５０４では接続設定手段８２に従って、レンズ本体２０との接続をそれぞれ無線接続と有線接続で行うことを決定し、ステップＳ５０５に移行する。ステップＳ５０５では、デマンド内電源５８として外部電源８１を選択しステップＳ５０１に戻る。
【００５２】
また、ステップＳ５０６では、レンズ供給電源５７が供給されているか、供給されていないかを確認、判断し、供給されている場合はステップＳ５０７に、ない場合はステップＳ５０９に移行する。ステップＳ５０７では、レンズ本体２０との接続を有線接続で行い、ステップＳ５０８に移行する。ステップＳ５０８ではデマンド内電源５８としてレンズ供給電源５７を選択し、ステップＳ５０１に戻る。一方、ステップＳ５０９では、レンズ本体２０との接続を無線接続で行い、ステップＳ５１０に移行する。ステップＳ５１０ではデマンド内電源５８として、バッテリ５６を選択しステップＳ５０１に戻る。
【００５３】
このように実施例１に追加して、外部電源８１、接続設定手段８２を設けることにより、ズームデマンド４０にＡ／Ｄ変換器等の外部電源８１が利用できる。更に、外部電源８１がある場合に、接続設定手段８２により有線か無線かの接続方式を任意に設定可能となり、外部電源８１の使用時は有線／無線の何れの接続方法を選択可能となり、様々な運用状況に対応できる。
【００５４】
更に、外部電源８１を設けている場合には、バッテリ５６を充電することが可能になり、電池切れ等の不具合はなくなり、運用性が更に向上する。
【図面の簡単な説明】
【００５５】
【図１】実施例１のブロック回路構成図である。
【図２】レンズ側接続識別手段、レンズ側接続選択手段での処理フローチャート図である。
【図３】デマンド側接続識別手段、デマンド側接続選択手段での処理フローチャート図である。
【図４】ズームデマンドの電源選択手段での処理フローチャート図である。
【図５】ズームデマンドの充電制御手段での処理フローチャート図である。
【図６】実施例２のズームデマンドの構成図である。
【図７】デマンド側接続識別手段、電源選択手段、接続設定手段での処理フローチャート図である。
【図８】従来例のテレビ撮影システムのブロック図である。
【符号の説明】
【００５６】
１０  カメラ本体
１１  撮像素子
２０  レンズ本体
２１  ズームレンズ
２２  ズームポテンショメータ
２３  ズームモータ
２６  レンズＣＰＵ
３３  レンズ電源
３４  レンズ側接続選択手段
３５  レンズ側無線通信手段
３６  レンズ側接続識別手段
４０  ズームデマンド
４１  ポテンショメータ
４４  デマンドＣＰＵ
４９  各種スイッチ
５０  各表示灯
５１  デマンド側接続選択手段
５２  デマンド側無線通信手段
５３  デマンド側接続識別手段
５５  電源選択手段
５６  バッテリ
５７  レンズ供給電源
５８  デマンド内電源
６１  レンズ側コネクタ
６２  デマンド側コネクタ
７０  接続ケーブル
８１  外部電源
８２  接続設定手段
【図１】
2008310094.tif 000003
【図２】
2008310094.tif 000004
【図３】
2008310094.tif 000005
【図４】
2008310094.tif 000006
【図５】
2008310094.tif 000007
【図６】
2008310094.tif 000008
【図７】
2008310094.tif 000009
【図８】
2008310094.tif 000010